(57)【特許請求の範囲】
【請求項１】
線状又はパイプ状の内部導体と、前記内部導体の周囲を囲むように該導体と同軸的に設けられた絶縁体と、前記絶縁体の周囲を囲むように該絶縁体と同軸的に設けられ、両端部を除く領域に一定周期でスロットが形成された外部導体と、前記外部導体の周囲を囲むように該導体と同軸的に設けられた外被と、を具備し、前記外部導体のスロットが形成された領域でＬＣＸ部を構成し、前記外部導体のスロットが形成されていない領域で非ＬＣＸ部を構成した漏洩同軸ケーブルと、
前記漏洩同軸ケーブルの一端に接続された無線機器と、
前記漏洩同軸ケーブルの他端に接続された終端抵抗と、
前記漏洩同軸ケーブルを前記スロットが形成されていない非ＬＣＸ部で構造物に固定する固定治具と、
を具備したことを特徴とする無線通信装置。
【請求項２】
前記漏洩同軸ケーブルの一端側の非ＬＣＸ部の長さをアンテナとして機能する部分から前記無線装置に至る長さに設定し、他端側の非ＬＣＸ部の長さをアンテナとして機能する部分から前記終端抵抗に至る長さに設定したことを特徴とする請求項１記載の無線通信装置。
【発明の詳細な説明】
【技術分野】
【０００１】
本発明の実施形態は、アプローチケーブル一体型の漏洩同軸ケーブルと、このケーブルを用いた無線通信装置に関する。
【背景技術】
【０００２】
ケーブルの長手方向に沿った領域に電波を均一に輻射するものとして、外部導体に使用周波数に応じた一定周期のスロットを設けた漏洩同軸ケーブル（ＬＣＸケーブル）が用いられている。このＬＣＸケーブルの一端は無線機器のＲＦ部と接続され、他端には終端抵抗等が接続される。
【０００３】
しかし、この種のＬＣＸケーブルにあっては次のような問題があった。即ち、ＬＣＸケーブルの一端を無線機器のＲＦ部と接続する場合には、通常の同軸ケーブル（非ＬＣＸケーブル）からなるアプローチケーブルが必要となる。また、ＬＣＸケーブルの他端に終端抵抗等を接続した場合、終端抵抗の近傍でＬＣＸケーブルに固定治具を取り付ける必要があるため、固定治具が電波の放射を妨げるおそれがある。
【先行技術文献】
【特許文献】
【０００４】
【特許文献１】特開２００５−２３６７４５号公報
【発明の概要】
【発明が解決しようとする課題】
【０００５】
発明が解決しようとする課題は、アプローチケーブルを要することなく無線機器に接続することができ、且つ固定治具等による電波放射の妨げを無くすことのできる漏洩同軸ケーブルと無線通信装置を提供することである。
【課題を解決するための手段】
【０００６】
実施形態の無線通信装置は、線状又はパイプ状の内部導体と、前記内部導体の周囲を囲むように該導体と同軸的に設けられた絶縁体と、前記絶縁体の周囲を囲むように該絶縁体と同軸的に設けられ、両端部を除く領域に一定周期でスロットが形成された外部導体と、前記外部導体の周囲を囲むように該導体と同軸的に設けられた外被と、を具備し、前記外部導体のスロットが形成された領域でＬＣＸ部を構成し、前記外部導体のスロットが形成されていない領域で非ＬＣＸ部を構成した漏洩同軸ケーブルと、前記漏洩同軸ケーブルの一端に接続された無線機器と、前記漏洩同軸ケーブルの他端に接続された終端抵抗と、
前記漏洩同軸ケーブルを前記スロットが形成されていない非ＬＣＸ部で構造物に固定する固定治具と、を具備してなる。
【図面の簡単な説明】
【０００７】
【図１】第１の実施形態に係わるＬＣＸケーブルの概略構造を説明するためのもので、端部を一部切欠して示す斜視図。
【図２】図１のケーブルのＬＣＸ部及び非ＬＣＸ部の断面図。
【図３】第２の実施形態に係わる無線通信装置の概略構成を示す図。
【図４】比較例に係わる無線通信装置の概略構成を示す図。
【発明を実施するための形態】
【０００８】
以下、実施形態のＬＣＸケーブルを、図面を参照して説明する。
【０００９】
（第１の実施形態）
図１及び図２は、第１の実施形態に係わるＬＣＸケーブルの概略構造を説明するためのもので、図１は端部を一部切欠して示す斜視図、図２（ａ）は図１のＬＣＸケーブルのＬＣＸ部の断面図、図２（ｂ）は図１のＬＣＸケーブルの非ＬＣＸ部の断面図である。
【００１０】
本実施形態のＬＣＸケーブル１０は、基本的には通常のＬＣＸケーブルの両端部分の一定長を非ＬＣＸ部にしたものである。図１では、一端側を示しているが、他端側も同様の構成となっている。即ち、ケーブルの両端部が非ＬＣＸ部で、それ以外の部分がＬＣＸ部となっている。
【００１１】
ＬＣＸケーブル１０は、内部導体１１，絶縁体１２，外部導体１３，スロット１４，及び外被１５から構成されている。即ち、アルミニウムや銅パイプからなる内部導体１１の周面を囲むように、ポリエチレン等の絶縁体１２が同軸的に形成されている。絶縁体１２の周面を囲むように、アルミニウム等からなる外部導体１３が同軸的に形成されている。そして、外部導体１３は、ポリエチレン等からなる外被１５により被覆されている。
【００１２】
また、ＬＣＸ部では、図１及び図２（ａ）に示すように、外部導体１３に、使用周波数に応じた一定周期のスロット１４が形成されている。非ＬＣＸ部では、図１及び図２（ｂ）に示すように、スロット１４は形成されていない。即ち、両端部から一定距離だけスロット１４を形成しないことにより、ＬＣＸ部の両側に一定長の非ＬＣＸ部が形成されている。
【００１３】
なお、図１には示さないが、ＬＣＸケーブル１０を支持するために、外被１５により外部導体１３とは絶縁された状態で、ケーブル長方向に支持線を設けても良い。
【００１４】
このような構成であれば、基本的にはアンテナとして機能するＬＣＸケーブルでありながら、両端部を通常の同軸ケーブルとしたＬＣＸケーブル１０を実現することができる。このため、無線機器や終端抵抗に接続する場合に、同軸ケーブル等のアプローチケーブルが不要となる。
【００１５】
なお、ＬＣＸケーブル１０の径が太い場合は、一端を無線機器等に接続する場合に特殊なコネクタ等が必要となるが、ＬＣＸケーブル１０の径が通常の同軸ケーブルと同じ程度まで小さくなった場合は、通常の同軸用コネクタを用いることができる。従って、本実施形態はＬＣＸケーブル１０の径が通常の同軸ケーブルと同程度になった場合に特に有効である。
【００１６】
（第２の実施形態）
図３は、第２の実施形態に係わる無線通信装置の概略構成を示す図である。
【００１７】
第１の実施形態で説明したＬＣＸケーブル１０の一端側は無線機器２０のＲＦ部に接続され、他端側は終端抵抗３０に接続されている。また、ＬＣＸケーブル１０は非ＬＣＸ部で固定治具４０により構造物（図示せず）に固定されている。
【００１８】
上記のように、ＬＣＸケーブル１０を無線装置２０に直接接続するために、アプローチケーブルは不要となる。ケーブル１０を無線機器に接続するためにはコネクタが必要となるが、ＬＣＸケーブル１０が通常の同軸ケーブルと同じ程度まで細くなった場合は、同軸ケーブル用のコネクタを用いることができる。
【００１９】
また、固定治具４０には一般に金属材料が用いられており、この種の部材をアンテナとして機能するＬＣＸ部に装着すると、電波の均一な放射を妨げるおそれがある。しかし、本実施形態では固定治具４０を非ＬＣＸ部に装着しているために、電波の放射を妨げることはない。
【００２０】
ここで、比較のために、図４に従来の無線通信装置の構成を示しておく。通常のＬＣＸケーブル６０の一端側はアプローチケーブル７０を介して無線機器２０のＲＦ部に接続され、他端側は終端抵抗３０に接続されている。そして、ＬＣＸケーブル６０の両端部に近い領域が固定治具４０により構造物に固定されている。従って、アプローチケーブル７０が必須となり、更に固定治具４０による電波放射を妨げるおそれがある。
【００２１】
このように本実施形態によれば、アプローチケーブルを用いることなくＬＣＸケーブル１０を無線機器２０に直接接続することができるので、構成の簡略化及びコストの低減をはかることができる。また、非ＬＣＸ部に固定治具４０を付けるため、固定治具４０が電波の放射を妨げる等の不都合を未然に防止することができる。
【００２２】
（変形例）
なお、本発明は上述した各実施形態に限定されるものではない。
【００２３】
実施形態ではケーブルの両端部に非ＬＣＸ部を設けたが、一端部のみに非ＬＣＸ部を設けるようにしても良い。例えば、終端抵抗がＬＣＸ部に直接接続されても問題なく、固定治具による電波放射の妨害等が問題ない場合は、無線機器等に接続される一端側のみを非ＬＣＸ部にしても良い。
【００２４】
また、ケーブルの非ＬＣＸ部の長さは、仕様に応じて適宜定めればよい。さらに、ケーブルの各部の材料、スロットの周期及び大きさ等は、仕様に応じて適宜定めればよい。
【００２５】
本発明の幾つかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
以下に、本願出願の当初の特許請求の範囲に記載された発明を付記する。  
［１］線状又はパイプ状の内部導体と、前記内部導体の周囲を囲むように該導体と同軸的に設けられた絶縁体と、前記絶縁体の周囲を囲むように該絶縁体と同軸的に設けられ、少なくとも一方の端部を除く領域に一定周期でスロットが形成された外部導体と、前記外部導体の周囲を囲むように該導体と同軸的に設けられた外被と、を具備してなり、前記外部導体の前記スロットが形成された領域でアンテナとして機能するＬＣＸ部を構成し、前記外部導体の前記スロットが形成されていない領域でアンテナとして機能しない非ＬＣＸ部を構成したことを特徴とする漏洩同軸ケーブル。
［２］線状又はパイプ状の内部導体と、前記内部導体の周囲を囲むように該導体と同軸的に設けられた絶縁体と、前記絶縁体の周囲を囲むように該絶縁体と同軸的に設けられ、両端部を除く領域に一定周期でスロットが形成された外部導体と、前記外部導体の周囲を囲むように該導体と同軸的に設けられた外被と、を具備し、前記外部導体のスロットが形成された領域でＬＣＸ部を構成し、前記外部導体のスロットが形成されていない領域で非ＬＣＸ部を構成した漏洩同軸ケーブルと、前記漏洩同軸ケーブルの一端に接続された無線機器と、前記漏洩同軸ケーブルの他端に接続された終端抵抗と、前記漏洩同軸ケーブルを前記スロットが形成されていない非ＬＣＸ部で構造物に固定する固定治具と、を具備したことを特徴とする無線通信装置。
［３］前記漏洩同軸ケーブルの一端側の非ＬＣＸ部の長さをアンテナとして機能する部分から前記無線装置に至る長さに設定し、他端側の非ＬＣＸ部の長さをアンテナとして機能する部分から前記終端抵抗に至る長さに設定したことを特徴とする付記［２］記載の無線通信装置。
【符号の説明】
【００２６】
１０…実施形態のＬＣＸケーブル
１１…内部導体
１２…絶縁体
１３…外部導体
１４…スロット
１５…外被
２０…無線機器
３０…終端抵抗
４０…固定治具
６０…従来のＬＣＸケーブル
７０…アプローチケーブル
【図１】
0005473157.tif 000002
【図２】
0005473157.tif 000003
【図３】
0005473157.tif 000004
【図４】
0005473157.tif 000005